(57)【要約】【課題】大型表示盤を構成するＬＥＤランプの故障状態を、運用中においても監視できるようにする。【解決手段】発光表示素子監視装置７のアラーム監視装置４は、映像制御装置３がＬＥＤ表示盤１に送出する映像・面輝度信号を受けてＬＥＤ表示盤１の各ＬＥＤランプが点灯したときの輝度を計算し、ＬＥＤ表示盤１が映像・面輝度信号に基づいて表示しているときの各ＬＥＤランプの輝度を測定した輝度測定データを発光表示素子監視装置７の輝度測定装置５から受け、計算による輝度と測定による輝度とをＬＥＤランプ毎に比較し、計算による輝度が測定による輝度よりも十分大きいとき、ＬＥＤランプの球切れと判断でき、逆の場合は、ＬＥＤランプを常時点灯させてしまう駆動部の故障と判断できる。運用中の映像を利用してＬＥＤランプの故障を監視でき、しかも、運用の間に故障箇所を特定できることから、運用後の点検作業を迅速に行うことができる。【選択図】図１
2011209637.tif 000002
【特許請求の範囲】
【請求項１】
複数の発光表示素子により構成された大型表示盤と、前記大型表示盤に表示させる映像を編集する映像編集装置と、編集された映像を前記大型表示盤に送り出す映像制御装置とを備えた映像表示システムにおける前記大型表示盤の発光表示素子監視装置において、
前記大型表示盤を構成するすべての前記発光表示素子の輝度を個別に測定し、輝度測定データを出力する輝度測定装置と、
前記大型表示盤に送られる映像データから前記大型表示盤に表示したときの輝度を計算により求めた計算値と前記輝度測定データから得られた測定値とを比較し、前記計算値と前記測定値との誤差の大きさに応じて前記発光表示素子の故障状態を判定するアラーム監視装置と、
を備えていることを特徴とする大型表示盤の発光表示素子監視装置。
【請求項２】
前記アラーム監視装置は、前記大型表示盤から前記発光表示素子の異常を検出したときのアラーム信号を受けるよう構成され、前記発光表示素子が故障と判定されたときに、前記アラーム信号が故障と判定された前記発光表示素子の異常を表す信号かどうかを判断することによって前記発光表示素子の駆動部の故障状態を判定することを特徴とする請求項１記載の大型表示盤の発光表示素子監視装置。
【請求項３】
前記アラーム監視装置は、大型表示盤の周辺の輝度を測定する照度センサから照度データを受けて前記測定値を前記照度データで補正するとともに、照度−輝度段階変換部を備え、前記照度データを対応する輝度段階データに変換して前記映像制御装置に送出することにより、前記計算値を求める前記映像データは、前記輝度段階データに基づいて生成された面輝度信号と一緒に前記映像制御装置から取得していることを特徴とする請求項１記載の大型表示盤の発光表示素子監視装置。
【請求項４】
前記アラーム監視装置は、前記輝度測定装置に対して輝度測定開始信号を送出する間隔を設定する測定間隔設定部を備え、定期的に前記輝度測定データを取得して前記発光表示素子を監視するようにしたことを特徴とする請求項１記載の大型表示盤の発光表示素子監視装置。
【請求項５】
前記アラーム監視装置は、連続発生回数を設定する手段を備え、同一の前記発光表示素子の故障が連続して前記連続発生回数を超えて発生した場合に、当該発光表示素子が故障している旨のアラーム通知をすることを特徴とする請求項１記載の大型表示盤の発光表示素子監視装置。
【請求項６】
前記輝度測定装置は、前記大型表示盤の表示画面を２次元測定することによりすべての前記発光表示素子の輝度を表す輝度測定データを出力する輝度測定部と、前記アラーム監視装置からの測定開始信号に応じて前記輝度測定データの取り込みを開始して蓄積するとともに蓄積された前記輝度測定データを前記アラーム監視装置に送出するデータ蓄積部とを有していることを特徴とする請求項１記載の大型表示盤の発光表示素子監視装置。
【発明の詳細な説明】
【技術分野】
【０００１】
本発明は大型表示盤の発光表示素子監視装置に関し、特に屋外、公営競技場、スタジアム等に設置して動画等の映像情報を提供する大型表示盤の発光表示素子監視装置に関する。
【背景技術】
【０００２】
大型表示盤は、複数の発光表示素子を平面上にそれぞれ交換可能に並べて構成されている。発光表示素子としては、発光ダイオード（以下、ＬＥＤと略記する）のランプが使用されている。ＬＥＤランプは、画面の１画素を構成するため、寿命等によって球切れを起こすと、その部分の画像にドットの抜けが生じる。また、ＬＥＤランプを駆動しているドライバが故障してＬＥＤランプが点灯しなくなったり、逆に、点灯しっ放しの状態になったりすることもある。大型表示盤は、これを運用する前または後に点検作業が行われるが、そのときに、そのような不具合を発見した場合には、該当箇所のＬＥＤランプを交換するなどの処置がとられる。
【０００３】
ＬＥＤランプに球切れが起きているかどうかは、白の映像を表示させてすべてのＬＥＤランプを最大輝度で点灯させ、そのとき、それぞれのＬＥＤランプに流れる電流をドライバ側で監視し、正常時の消費電流と比較することで判断できる（たとえば、特許文献１参照）。また、ＬＥＤランプが点灯しっ放しかどうかは、全画面に黒の映像を表示させるようにしてすべてのＬＥＤランプを消灯状態にし、そのときの表示画面を観察することで発見することができる。
【先行技術文献】
【特許文献】
【０００４】
【特許文献１】特開平１０−１１６０４０号公報
【発明の概要】
【発明が解決しようとする課題】
【０００５】
しかしながら、大型表示盤の点検作業は、点検用の映像を表示させることによって行うので、運用している最中に行うことはできないことから、非運用時の時間帯に作業員の数および作業時間を十分に確保しておく必要があり、その結果、保守のコストが高くなってしまうという問題点があった。
【０００６】
また、ＬＥＤランプの常時点灯の故障に関しては、たとえそのようなＬＥＤランプを発見しても、そのＬＥＤランプを受け持つドライバを特定するために、広い表示画面を観察しながら制御装置側で表示パターンを変更して絞り込む作業が必要になるため、部品交換までの事前調査に時間がかかるという問題点があった。
【０００７】
本発明はこのような点に鑑みてなされたものであり、大型表示盤の運用中にも、特殊な点検用の画像を表示させることなくＬＥＤランプの動作状態を調査できる大型表示盤の発光表示素子監視装置を提供することを目的とする。
【課題を解決するための手段】
【０００８】
本発明では上記の課題を解決するために、複数の発光表示素子により構成された大型表示盤と、前記大型表示盤に表示させる映像を編集する映像編集装置と、編集された映像を前記大型表示盤に送り出す映像制御装置とを備えた映像表示システムにおける前記大型表示盤の発光表示素子監視装置において、前記大型表示盤を構成するすべての前記発光表示素子の輝度を個別に測定し、輝度測定データを出力する輝度測定装置と、前記大型表示盤に送られる映像データから前記大型表示盤に表示したときの輝度を計算により求めた計算値と前記輝度測定データから得られた測定値とを比較し、前記計算値と前記測定値との誤差の大きさに応じて前記発光表示素子の故障状態を判定するアラーム監視装置と、を備えていることを特徴とする大型表示盤の発光表示素子監視装置が提供される。
【０００９】
このような大型表示盤の発光表示素子監視装置によれば、発光表示素子の監視を、映像表示システムの運用時の映像データを利用して行うことができるので、保守作業を行う前の運用中の段階で、発光表示素子の故障状態をあらかじめ特定することができる。これにより、実際の保守作業を迅速に行うことができる。
【発明の効果】
【００１０】
上記構成の大型表示盤の発光表示素子監視装置は、大型表示盤に表示しようとしている映像データと実際にその映像データを表示させている大型表示盤の映像を測定した輝度測定データとを利用して発光表示素子が故障しているかどうかを判断しているので、従来不可能であった運用中の故障発光表示素子の発見が可能になるという利点がある。
【００１１】
映像データから計算した輝度と輝度測定データの輝度とを比較したときの誤差の大きさで発光表示素子の故障を判断しているので、発光表示素子の球切れのみならず常時点灯の故障をも検出することが可能になる。
【００１２】
運用後の保守点検前に発光表示素子の不具合箇所が事前に特定できているので、不具合箇所の調査工数が不要になり、実質的に交換作業工数のみであるので、点検作業員の人数を減らすことができ、作業時間も大幅に短縮できることから保守コストを低減することができる。
【図面の簡単な説明】
【００１３】
【図１】映像表示システムの全体構成を示す図である。
【図２】ＬＥＤ表示盤の構成例を示す図である。
【図３】ＬＥＤ表示盤のドット配列例を示す図である。
【図４】映像制御装置の構成例を示す図である。
【図５】輝度測定装置の構成例を示す図である。
【図６】アラーム監視装置の構成例を示す図である。
【図７】アラーム監視装置の映像・輝度演算器の構成例を示す図である。
【図８】故障判定部にて比較される輝度データの構成例を示す図である。
【図９】故障判定部の比較処理の一例を示す説明図である。
【図１０】画面表示例を示す図であって、（Ａ）は起動時の画面表示例を示し、（Ｂ）は判定結果の画面表示例を示している。
【図１１】映像表示システムの故障検知動作を示すフローチャートである。
【発明を実施するための形態】
【００１４】
以下、本発明の実施の形態について、大型表示盤に映像を表示させる映像表示システムに適用した場合を例に図面を参照して詳細に説明する。
図１は映像表示システムの全体構成を示す図である。
【００１５】
映像表示システムは、大画面のＬＥＤ表示盤１と、このＬＥＤ表示盤１に表示させる映像を編集する映像編集装置２と、ＬＥＤ表示盤１に編集された映像を送り出す映像制御装置３とを備えている。映像表示システムは、また、ＬＥＤ表示盤１を構成するＬＥＤランプの動作状態を監視するアラーム監視装置４と、ＬＥＤ表示盤１の全体を撮像するよう設置され、個々のＬＥＤランプの輝度を測定してその輝度測定データを出力することができる輝度測定装置５と、ＬＥＤ表示盤１が設置される場所の周囲の明るさを監視する照度センサ６とを備えている。ここで、アラーム監視装置４および輝度測定装置５は、発光表示素子監視装置７を構成している。
【００１６】
映像表示システムは、映像編集装置２にて、外部から入力された入力映像信号を編集して表示すべき映像情報が用意され、映像制御装置３へ出力される。映像制御装置３は、映像編集装置２から出力された映像信号を入力し、映像制御装置３で編集された映像信号および表示画面の明るさを指定する面輝度信号をＬＥＤ表示盤１に送出し、ＬＥＤ表示盤１は、受けた映像信号および面輝度信号を基に映像を表示する。面輝度信号は、照度センサ６が検出した照度データをアラーム監視装置４が受けて変換した輝度段階信号に基づいており、ＬＥＤ表示盤１を設置環境の明るさに応じた明るさに制御するのに使用される。
【００１７】
発光表示素子監視装置７において、アラーム監視装置４は、ＬＥＤ表示盤１からアラーム信号を受け、照度センサ６から照度データを受け、映像制御装置３から映像信号および面輝度信号を受け、輝度測定装置５から輝度測定データを受けるよう構成されている。輝度測定装置５は、ＬＥＤ表示盤１のＬＥＤランプ光源の輝度、照度および色度を２次元で測定できるもので、ＬＥＤランプ毎の輝度測定データを取得することができる。ＬＥＤ表示盤１では、ＬＥＤランプの取り付けピッチが比較的広いため、高解像度の２次元受光素子を用いることで、ＬＥＤランプ毎の測定を可能にしている。ＬＥＤ表示盤１が超巨大な画面を有する場合には、画面を複数に分割し、複数台の輝度測定装置５を用いることで全画面の測定をカバーすることができる。
【００１８】
発光表示素子監視装置７は、アラーム監視装置４が映像制御装置３からＬＥＤ表示盤１に送った映像信号および面輝度信号と同じ信号を受けると、輝度測定装置５に測定開始信号を出力し、輝度測定装置５から輝度測定データを受ける。アラーム監視装置４は、ＬＥＤ表示盤１に送った映像信号および面輝度信号からＬＥＤランプが出力するはずの輝度を算出した計算データと、輝度測定装置５による輝度測定データを照度データで補正した測定データとを同期させて比較し、表示のために送ったデータと実際に表示された画像の測定データとが一致するかどうかをＬＥＤランプ毎に判断する。この比較により、一致していなければ、そのＬＥＤランプが球切れまたは常時点灯の故障状態にあると判断することができる。
【００１９】
このＬＥＤランプの監視は、運用中に提供されている映像信号を用いて行っているので、運用の最中に不具合のあるＬＥＤランプおよびそのドライバを特定しておくことができるので、運用後に行われる保守点検の作業時間を大幅に短縮することができる。
【００２０】
図２はＬＥＤ表示盤の構成例を示す図、図３はＬＥＤ表示盤のドット配列例を示す図である。
ＬＥＤ表示盤１は、分配器１１と、複数の表示制御基板１２と、マトリクス状に配置して１つの画面を構成する複数のＬＥＤランプ１３と、アラーム監視基板１４とを備えている。ＬＥＤランプ１３は、本実施の形態では、１個に赤色ＬＥＤ（Ｒ）、緑色ＬＥＤ（Ｇ）および青色ＬＥＤ（Ｂ）を組み込んだもので、１個でフルカラーを表現でき、表示画面の１画素（ドット）分を構成する。したがって、たとえば図３のように、２５６×２５６ドットの表示盤を構成する場合は、単純に６５５３６個のＬＥＤランプ１３をマトリクス状に配置することによって構成することができる。
【００２１】
分配器１１は、映像制御装置３から受けた映像信号および面輝度信号を分配し、複数の表示制御基板１２のそれぞれに供給する。表示制御基板１２は、表示画面を部分的に構成する複数のＬＥＤランプ１３のそれぞれを点灯制御する。この点灯制御は、ＬＥＤランプ１３が表示すべき映像信号の輝度を面輝度信号の値で補正し、その補正値に対応した電流をＬＥＤランプ１３に流している。
【００２２】
アラーム監視基板１４は、ＬＥＤランプ１３に給電する電源の異常、ＬＥＤランプ１３の温度の異常等が検出されたときのアラーム信号を受け、それをアラーム監視装置４に送出する。
【００２３】
図４は映像制御装置の構成例を示す図である。
映像制御装置３は、映像編集装置２からの映像信号を受ける映像受信機器２１と、映像受信機器２１が受けた映像信号および輝度段階信号として受けた面輝度信号をＬＥＤ表示盤１に送出する映像送出機器２２とを備えている。映像送出機器２２は、アラーム監視装置４に接続されていて、アラーム監視装置４から輝度段階信号を受け、アラーム監視装置４には、ＬＥＤ表示盤１に送出した映像信号および面輝度信号と同じ信号を比較用に計算されるデータの元データとして送出する。
【００２４】
図５は輝度測定装置の構成例を示す図である。
輝度測定装置５は、ＬＥＤ表示盤１の輝度をドット毎に測定することができる輝度測定部３１と、輝度測定部３１が測定したＬＥＤ表示盤１の表示盤輝度データを取り込んで一時保存しておくデータ蓄積部３２とを有している。輝度測定部３１は、高解像度で高精度に測定が可能なたとえば２次元色彩輝度計とすることができる。データ蓄積部３２は、アラーム監視装置４から所定の周期で送られる輝度測定開始信号の受信に同期して、輝度測定部３１の測定および測定した表示盤輝度データの取り込みを開始し、取り込んだ表示盤輝度データを蓄積する。データ蓄積部３２は、たとえば１画面分の輝度測定データが蓄積した後、輝度測定データとしてアラーム監視装置４に送出する。
【００２５】
図６はアラーム監視装置の構成例を示す図、図７はアラーム監視装置の映像・輝度演算器の構成例を示す図である。
アラーム監視装置４は、照度−輝度段階変換部４１、映像・輝度演算器４２、アラーム信号受信部４３、故障判定部４４およびモニタ４５を有し、映像・輝度演算器４２は、受信部４６、演算部４７および測定間隔設定部４８を有している。
【００２６】
照度−輝度段階変換部４１は、照度センサ６が検出したＬＥＤ表示盤１の周辺の輝度を表す照度データを受け、それを輝度段階データに変換する。輝度段階データは、映像制御装置３に送信され、ＬＥＤ表示盤１の画面全体の明るさを調節する面輝度信号の基になるデータである。
【００２７】
映像・輝度演算器４２では、受信部４６が照度センサ６からの照度データを受け、表示盤周辺輝度データとして故障判定部４４に送出する。受信部４６は、また、映像制御装置３からの映像信号および面輝度信号を受け、映像信号の映像データおよび面輝度信号の輝度段階を演算部４７に送出する。演算部４７では、映像データおよび輝度段階を基にＬＥＤランプ１３が発光したときの理論上の輝度を計算し、比較用輝度データとして故障判定部４４に送出する。
【００２８】
映像・輝度演算器４２では、測定間隔設定部４８が輝度測定装置５による測定間隔を設定することができ、受信部４６は、測定間隔設定部４８によって設定された測定間隔の周期で輝度測定開始信号を輝度測定装置５に送出する。
【００２９】
故障判定部４４は、映像・輝度演算器４２から表示盤周辺輝度データと、計算値である比較用輝度データとを受け、輝度測定装置５から測定値である輝度測定データを受ける。故障判定部４４は、また、アラーム信号受信部４３からＬＥＤ表示盤１の電源異常等のアラーム信号を受ける。
【００３０】
故障判定部４４は、まず、輝度測定データを表示盤周辺輝度データで補正して表示盤周辺の明るさを考慮した測定データを算出し、次に、比較用輝度データを測定データと比較する。この比較は、ＬＥＤランプ１３毎に行われる。故障判定部４４は、計算上の輝度データと測定データとの比較の結果、両データの値がほぼ一致していれば、そのＬＥＤランプ１３は正常であると判断する。もし、両データの値の差が大きい場合、故障判定部４４は、アラーム信号受信部４３からのアラーム信号が対応するＬＥＤランプ１３に関するアラームであるかどうかを調べる。該当するＬＥＤランプ１３に関するアラームが発生していなければ、ＬＥＤランプ１３自体の球切れと判断し、モニタ４５に故障表示し、アラームが該当のＬＥＤランプ１３に関するものであれば、電源異常をモニタ４５に表示する。
【００３１】
図８は故障判定部にて比較される輝度データの構成例を示す図である。
故障判定部４４において比較される計算上の輝度データおよび輝度測定データは、輝度段階データと、赤色映像データと、緑色映像データと、青色映像データとからなり、各色は、たとえば８ビットで構成され、それぞれクロックに従ってシリアルに伝送される。輝度データにおいて、輝度段階データは、フレームの始まりを合わせるための垂直同期信号に同期され、次に１ドット目の赤色映像データＲ１、１ドット目の緑色映像データＧ１、１ドット目の青色映像データＢ１、２ドット目の赤色映像データＲ２・・・と続き、ｎドット目の青色映像データＢｎがフレームの最後の輝度データとなる。そして、次の垂直同期信号に同期して輝度段階データと次のフレームを構成する３色の輝度データがシリアルに続いていくことになる。
【００３２】
ここで、故障判定部４４において行われる計算上の輝度データおよび輝度測定データの比較は、対応するドットの対応する色映像データ毎に行われ、これにより、ＬＥＤランプ１３のそれぞれについて異常かどうかを判定することができる。
【００３３】
図９は故障判定部の比較処理の一例を示す説明図である。
一例として、最初の２つのＬＥＤランプ１３を表示したときの故障判定の例を示す。なお、階調は、各色８ビット（０〜２５５）とし、輝度段階は、０〜３１の３２段階（０が最大、３１が最小）あって、ここでは、変換された輝度段階は、０であったとしている。階調−輝度変換は、使用するＬＥＤランプ１３により異なる。また、表示盤周辺輝度は、１５０カンデラ毎平方メートルであったとしている。そして、故障判定は、比較用の計算値と測定値との差が±７０％以上で故障と判断するとしている。
【００３４】
図示の例では、映像編集装置２から送り出された映像信号の階調の値に対して輝度段階を考慮した輝度が演算部４７において計算される。一方、輝度測定装置５が測定した輝度測定データに対しては、ＬＥＤ表示盤１の周辺の輝度を考慮した輝度が故障判定部４４において計算される。これらの計算結果は、ＬＥＤランプ１３の色毎に比較され、その差が±７０％以上あるかどうかが故障判定部４４において判断される。この例では、比較結果で誤差が±７０％以上あるのは、１ドット目の赤色ＬＥＤ（Ｒ１）であることから、この１ドット目の赤色ＬＥＤ（Ｒ１）が故障と判断することができる。他のＬＥＤ（Ｇ１、Ｂ１、Ｒ２、Ｇ２、Ｂ２）は、誤差が７０％以内であるため、正常と判断することができる。
【００３５】
１ドット目のＬＥＤランプ１３のように、実際に測定した輝度値が計算上の輝度値よりも十分小さい場合、ＬＥＤランプの球切れと判断される。また、実際に測定した輝度値が計算上の輝度値よりも十分大きい逆の場合には、当該ＬＥＤランプを駆動している回路がＬＥＤランプを常時点灯状態にしてしまうような故障をしていると判断することができる。
【００３６】
図１０は画面表示例を示す図であって、（Ａ）は起動時の画面表示例を示し、（Ｂ）は判定結果の画面表示例を示している。
起動したときのモニタ４５の画面には、ＬＥＤ表示盤１に配置されたＬＥＤランプ１３のアドレスを示すマップ５１と、運転履歴を表示するログ画面５２とが表示されている。マップ５１は、この例では、説明のために、５×４ドットの大きさの画面にしてあるが、実際の画面は、非常に大きく、１画面に収めることはできないので、幾つかの小領域に分割し、それを切り換えて表示するようにしている。たとえば、あるＬＥＤランプ１３の故障事象の発生に応答して、そのＬＥＤランプ１３を含む小領域に切り換えて表示することになる。また、ＬＥＤランプ１３のどの色のＬＥＤが故障したかは、マップ５１上のアドレス表示部を故障したＬＥＤの色で表示することにより、視認性を向上させることができる。ＬＥＤランプ１３の電源に故障がある場合には、マップ５１上のアドレス表示部を、たとえば点滅表示させることによって、色別の故障表示と区別して表示することができる。
【００３７】
モニタ４５の画面表示例では、図１０の（Ａ）に示した正常動作をしている表示のときに、ＬＥＤランプ１３の故障が見つかると、図１０の（Ｂ）に示したように、その故障したＬＥＤランプ１３の位置およびその故障したＬＥＤの色がマップ５１上に表示され、同時に、ログ画面５２に、その詳細が文字情報によって表示される。図示の例では、故障したのは、ＬＥＤランプアドレスがＢ２のＬＥＤランプ１３であり、その中の赤色ＬＥＤが故障していることを通知している。これにより、点検作業員は、この映像表示システムの運用中に、どの表示位置にあるＬＥＤランプ１３が故障しているのかをあらかじめ知ることができるので、運用後に行われるＬＥＤランプ１３の交換作業を迅速に行うことができるようになる。
【００３８】
図１１は映像表示システムの故障検知動作を示すフローチャートである。
まず、アラーム監視装置４の故障判定部４４において、故障判定は、１回の故障事象の検出によって故障と判定されることはないので、その故障事象が連続して何回発生したら故障と判断するかの回数が設定される（ステップＳ１）。次に、測定間隔設定部４８によって設定された輝度測定間隔が経過したかどうかが判断され（ステップＳ２）、輝度測定間隔が経過していない場合は、経過するまで待つ。輝度測定間隔が経過した場合には、映像・輝度演算器４２より輝度測定開始信号が出力される（ステップＳ３）。
【００３９】
輝度測定開始信号の出力に応じて、一方では、映像・輝度演算器４２が映像信号および面輝度信号から比較用輝度データを計算し（ステップＳ４）、照度データから表示盤周辺輝度データを計算する（ステップＳ５）。他方では、輝度測定装置５が輝度測定を開始するとともにデータ蓄積部３２が輝度測定部３１の測定した表示盤輝度データの取り込みを開始し（ステップＳ６）、データ蓄積部３２に取り込まれた輝度測定データをアラーム監視装置４へ送信する（ステップＳ７）。
【００４０】
次に、アラーム監視装置４では、故障判定部４４から受けた比較用輝度データおよび表示盤周辺輝度データと、輝度測定装置５から受けた輝度測定データとを基に計算値と測定値との比較をドット単位で行う（ステップＳ８）。
【００４１】
計算値と測定値との比較の結果、誤差が所定の値より大きくて故障と思われる箇所があるかどうかが判定される（ステップＳ９）。ここで、故障箇所がなければ、ステップＳ２に戻る。
【００４２】
ステップＳ９において、故障箇所が見つかれば、故障判定部４４は、その故障箇所を記憶する（ステップＳ１０）。次に、その故障箇所における故障の連続発生回数がステップＳ１にて設定された回数以内かどうかが判定される（ステップＳ１１）。故障箇所の連続発生回数が所定回数以内であれば、ステップＳ２に戻る。故障箇所の連続発生回数が所定回数を超えていれば、ＬＥＤ表示盤１の該当箇所からアラーム信号が来ているかどうかが判断される（ステップＳ１２）。ここで、アラーム信号が来ていれば、故障箇所のＬＥＤランプ１３を駆動する電源の故障と確定され（ステップＳ１３）、アラーム信号が来ていなければ、故障箇所のＬＥＤランプ１３の故障と確定される（ステップＳ１４）。このようにして、ＬＥＤランプ１３またはその電源の故障と確定されると、アラームがモニタ４５に通知されて表示される。
【符号の説明】
【００４３】
１  ＬＥＤ表示盤
２  映像編集装置
３  映像制御装置
４  アラーム監視装置
５  輝度測定装置
６  照度センサ
７  発光表示素子監視装置
１１  分配器
１２  表示制御基板
１３  ＬＥＤランプ
１４  アラーム監視基板
２１  映像受信機器
２２  映像送出機器
３１  輝度測定部
３２  データ蓄積部
４１  照度−輝度段階変換部
４２  映像・輝度演算器
４３  アラーム信号受信部
４４  故障判定部
４５  モニタ
４６  受信部
４７  演算部
４８  測定間隔設定部
５１  マップ
５２  ログ画面
【図１】
2011209637.tif 000003
【図２】
2011209637.tif 000004
【図３】
2011209637.tif 000005
【図４】
2011209637.tif 000006
【図５】
2011209637.tif 000007
【図６】
2011209637.tif 000008
【図７】
2011209637.tif 000009
【図８】
2011209637.tif 000010
【図９】
2011209637.tif 000011
【図１０】
2011209637.tif 000012
【図１１】
2011209637.tif 000013